(57)【要約】  モジュール靴は、部品に分離する。これらの部品は、多数の使い捨て靴を必要とせずに汎用性をもたらすために、交換可能であるとよい。また、各靴部品は、旅行バッグ又は空間が制限された他の箇所内に便利に詰め込まれるために、折畳み可能であるとよい。
2007500574.tif 000002
【特許請求の範囲】
【請求項１】
足との接触を維持するのに適した内面を有し、足を受入れるように適合されたフットエンクロージャと、
前記フットエンクロージャの下側に嵌合するように適合され、足の支持面を備えたシャーシと、
前記シャーシと前記フットエンクロージャを包囲し、使用時に前記フットエンクロージャおよび前記シャーシを足と動作可能な係合状態に保持するように調整可能であるシェルとを備え、
前記フットエンクロージャ、前記シャーシ、及び前記シェルの各々が、互いに取外し可能でありかつ交換可能である、靴。
【請求項２】
前記フットエンクロージャは、天然織布又は合成織布の少なくとも１つを含んでいる、請求項１に記載の靴。
【請求項３】
前記フットエンクロージャは、蒸気浸透性で液体不浸透性の薄膜を備えている、請求項１に記載の靴。
【請求項４】
前記フットエンクロージャは、弾性材料を含んでいる、請求項１に記載の靴。
【請求項５】
前記フットエンクロージャは、パッドを含む、請求項１に記載の靴。
【請求項６】
前記フットエンクロージャは、その上面に沿って強化材を備え、該強化材は、前記シェル内の締め紐の位置に対応している、請求項１に記載の靴。
【請求項７】
前記シャーシは、パッド付き上面を備えている、請求項１に記載の靴。
【請求項８】
前記シャーシは、使用時に前記シェルの１つ以上の開口を通って突出するように構成されたトレッドを有する下面を備えている、請求項１に記載の靴。
【請求項９】
前記シャーシは、前記シェルの１つ以上の開口と、耐水性を有して係合するためのガスケットを備えている、請求項１に記載の靴。
【請求項１０】
前記シェルは、トレッドを有する下面を備えている、請求項１に記載の靴。
【請求項１１】
前記シェルは、前記シャーシのトレッドを受入れるように構成された１つ以上の開口を備えている、請求項１に記載の靴。
【請求項１２】
前記シェルは、外面を備え、該外面は、皮、ビニル、スエード、又は織布の少なくとも１つを含んでいる、請求項１に記載の靴。
【請求項１３】
前記シェルは、前記フットエンクロージャ、前記シャーシ、及び前記シェルを足に固定するための紐締め機構を備えている、請求項１に記載の靴。
【請求項１４】
前記紐締め機構は、締め紐、面ファスナーの少なくとも１つを備えている、請求項１に記載の靴。
【請求項１５】
水または雪の少なくとも一方に対するバリアとなる耐候層をさらに備えている、請求項１に記載の靴。
【請求項１６】
前記フットエンクロージャは、前記耐候層を備えている、請求項１５に記載の靴。
【請求項１７】
前記耐候層は、水、氷、雪、又は泥の少なくとも１つの中での使用に特に適合されている、請求項１５に記載の靴。
【請求項１８】
前記耐候層は、前記シェルを取り囲み、耐候性外面を構成している、請求項１５に記載の靴。
【請求項１９】
前記耐候層は、前記シェルと前記フットエンクロージャとの間に配置されている、請求項１５に記載の靴。
【請求項２０】
前記シェル、前記シャーシ、及び前記フットエンクロージャを分解するための工具をさらに備え、該工具は、前記シェルの踵領域において前記シェルに取外し可能に係合し、交換可能であり、前記踵領域との係合時に上向き力が前記シャーシまたは前記フットエンクロージャの少なくとも１つに加えられる間、前記踵領域に下向き力を加えるための表面を備えている、請求項１に記載の靴。
【請求項２１】
前記シャーシに突出部をさらに備え、該突出部は、前記シャーシを前記シェルから取り外すための力を前記シャーシに加えるべく把持するのに適している、請求項１に記載の靴。
【請求項２２】
前記突出部を掴むための工具をさらに備えている、請求項２１に記載の靴。
【請求項２３】
前記シェルは前記踵領域に開口をさらに備え、該開口は、前記シャーシが前記シェルと係合された状態で、前記シャーシの前記突出部と係合するように構成されている、請求項２１に記載の靴。
【請求項２４】
前記シャーシ、前記フットエンクロージャ、及び前記シェルの少なくとも１つは折畳み可能である、請求項１に記載の靴。
【請求項２５】
前記シャーシ、前記フットエンクロージャ、前記シェルの少なくとも１つは折目線を備え、該折目線に沿って折ることによって、前記シャーシ、前記フットエンクロージャ、及び前記シェルの前記少なくとも１つは折畳み可能である、請求項２４に記載の靴。
【請求項２６】
前記シャーシ、前記フットエンクロージャ、及び前記シェルの前記少なくとも１つは、梱包に適したコンパクトな形状に折畳み可能である、請求項２４に記載の靴。
【請求項２７】
前記シャーシ、前記フットエンクロージャ、及び前記シェルの少なくとも１つは、洗濯可能である、請求項１に記載の靴。
【発明の詳細な説明】
【背景技術】
【０００１】
一般に靴は、特定の用途に適化されており、人は、異なる目的のために多数の異なる種類の靴を所有している。
【０００２】
例えば、異なる靴が、歩行用、ハイキング用、運動競技用、又は公式行事用に用いられ得る。たとえ同じカテゴリーに属する靴であっても、雪に適したハイキングシューズ、湿地に適したシュ−ズ、乾いた地形での長距離ハイキングにおいて快適であるように設計された軽量シューズなど、多数の靴が必要である。同様に、フォーマルな履物であっても、衣服や行事の種類に応じて色彩や様式が異なる種々の靴が包含されることになる。
【０００３】
市販の履物の用途に応じた多様さは、種々の所持品を携行に適した１つあるいは２つのバッグ内に詰め込む作業に頻繁に直面する旅行者に対して特別の問題を提起する。この問題とは、各靴が嵩張りしかも固いため旅行バッグ内に大きな空間を必要とし、詰め込まれた状態でバッグに大きな重量付加となる事実によって、さらに悪化される。
【０００４】
旅行者に、コンパクトな形態で汎用性をもたらす履物が必要とされている。
【発明の開示】
【０００５】
部品に分離するモジュール靴が提供されている。部品は、多数の完備した靴を必要とせずに汎用性を具備するために、交換可能であるとよい。また、各副部品は、旅行バッグまたは空間が制限された他の箇所に詰め込むのに便利なように、折畳み可能であるとよい。
【０００６】
一つの実施形態において、本発明の靴は、以下の部品、すなわち、足を受入れるためのフットエンクロージャと、フットエンクロージャの下側に嵌合するように適合されたシャーシと、使用時にシャーシとフットエンクロージャを包囲して足と係合するシェルとを備えている。これらの部品は、種々の選択肢を着用者に与えるために、取外し可能であり交換可能である。
【０００７】
他の実施形態において、本発明のモジュール靴は、フットエンクロージャと、シャーシと、シェルとを備え、シャーシの下面は、シェルの底の１つ以上の開口を通って突出するトレッドを有している。
【０００８】
さらに他の実施形態において、本発明の靴は、着用者を、例えば、雨、水、泥、又は雪に起因する悪天候条件から保護するための耐候性のバリアを備えている。
【０００９】
本発明の以上の目的及び他の目的並びに利得は、添付の図面を参照して、以下の本発明のさらなる説明から、さらに十分に理解されるだろう。
【発明を実施するための最良の形態】
【００１０】
本発明の総体的な理解のために、以下、３つの部品、すなわち、フットエンクロージャと、シャーシと、シェルとを有するモジュール靴を含むいくつかの例示的実施形態について説明する。しかし、ここに記載される履物システムは、異なる数のトレッド、シェル、シャーシ、及びフットエンクロージャのような部品及び副部品を有していても有益であり、また、審美的あるいは機能的な種々の目的に適合した部品及び副部品を採用可能であることが理解されるだろう。このような履物設計は、全てここに記載されるシステムの範囲内に包含されることが意図されている。
【００１１】
図１は、モジュール靴を示している。靴１００は、紐締め機構１０４を有するシェル１０２と、シャーシ（図示せず）と、フットエンクロージャ１０６とを備えている。
【００１２】
シェル１０２は、皮、ビニル、スエード、織布、ゴム、プラスチック、又はこれらの組合せなど、従来の靴材料から形成可能である。シェル１０２用の材料は、審美性、耐久性、柔軟性、快適性などを含む従来の履物設計の制約条件に従って選択可能である。一般に、シェル１０２は、ここに記載される靴１００に外面を備えるいかなる部品であってもよい。従って、多数のシェルが旅行者によって携行されてもよく、各シェルは、旅行者に対して審美的または機能的役割を果たす。
【００１３】
紐締め機構１０４は、靴紐、面ファスナーベルト、バックル、または靴１００を着用者の足の周りに固定するための他の装置であってもよい。シェル１０２の紐締め機構１０４は、靴１００の使用時に、シェル１０２、フットエンクロージャ１０６、及びシャーシを着用者の足の周囲に緊密に係合するように締めることが可能である。紐締め機構１０４は、靴の取外し又は分解を可能にするために緩めることが可能である。
【００１４】
以下に、さらに詳細に説明するシャーシは、フットエンクロージャ１０６の下に、剛質または半剛質な、あるいは柔軟な支持面などの支持底面を備え、靴１００の着用者の快適性を助長するために、その上面に沿ってパッドを備えていてもよい。一般に、シャーシは、ここに記載される靴１００の全体に剛性支持をもたらすどのような部品であってもよい。
【００１５】
フットエンクロージャ１０６は、シェル１０２内に配置可能であり、一般的に、着用者の足を受けるように適合されている。一般に、フットエンクロージャ１０６は、着用者の足を受けるのに適したどのような部品であってもよい。フットエンクロージャ１０６が足に直接接触する場合、フットエンクロージャ１０６は、このような直接接触に対して快適さをもたらす内面を有しているとよい。フットエンクロージャ１０６は、パッド付き底面を備えていてもよい。フットエンクロージャ１０６は、天然又は合成織布、水蒸気に対して浸透性を有し、液体に対して浸透性を有しない通気性薄膜、及び／又は足の形状に合わせて伸張する弾性材料を含むどのような適正な材料によって形成可能である。また、フットエンクロージャ１０６は、紐締め機構１０４の直下に、靴内のこの圧力点において付加的な心地よさをもたらすために、及び／又は紐締め機構１０４を繰り返して締付け、かつ緩める間のフットエンクロージャ１０６の磨耗を低減させるために、付加的なパッド又は磨耗保護具を備えていてもよい。
【００１６】
ユーザが靴１００内に挿入した足を、そこから取り出した時、フットエンクロージャ１０６は、シェル１０２内に固定されて残されることになるが、このフットエンクロージャは、シャル１０２とは別のスリッパとして付加的に用いられ得るように、フットエンクロージャ１０６への直接的な足の挿入及び取出しを容易にするために、ファスナー（zipper、図示せず）又は他の機構をさらに備えていてもよい。一実施形態において、フットエンクロージャ１０６はシャーシの上に配置され得る。しかしその代わりに、フットエンクロージャ１０６がシャーシを包んでもよいことが理解されるだろう。この場合、シャーシは、好ましくは、着用者の足と心地よく係合する上面を有する。さらに、フットエンクロージャ１０６は、足の大半を包むスリッパ又は靴下状の部品として示されているが、他の種類のフットエンクロージャ、例えば、弾性材料からなるバンドや紐、足指間、足首または足の他の部分に嵌めるサンダル状構成、または靴１００内において足を保持するように機能する他の構成が用いられてもよい。このような構造及び構成は全て、特別の記載がある場合を除いて、ここに用いられる「フットエンクロージャ」１０６の用語の範囲内に包含されることが意図されている。
【００１７】
フットエンクロージャ１０６、シャーシ、及びシェル１０２の各々は、靴１００が分解及び再組立され得るように取外し可能で、かつ交換可能である。あるいは、部品の１つが取り外され、異なる部品と交換可能である。例えば、ユーザは、衣服の変更に合わせて、茶色のシェル１０２から黒色のシェル１０２に変更可能である。あるいは、ユーザは、一般道路以外のハイキングを行なう際に、より活動的なトレッドを有するシャーシに変更することもできる。あるいは、ユーザは、１日の使用後に、新しいフットエンクロージャ１０６又はシャーシを挿入してもよい。
【００１８】
異なる部品又は付加的な部品が、ここに記載される靴１００にいくつ付属されてもよく、またそれらの部品が異なって配置されてもよいことが容易に理解されるであろう。例えば、シャーシは、パッド、表面材料、及び取付け機構の適切な変更によって、フットエンクロージャ１０６とシェル１０２との間ではなく、フットエンクロージャ１０６の内側に配置されてもよい。このような構成は全て、ここに記載される履物の範囲内に包含されることが意図されている。
【００１９】
図２は、モジュール靴の底面図である。靴２００は、図１を参照して前述した靴１００であってもよい。靴２００のこの斜視図から見られるように、シャーシ２０２は、靴２００の底面の一部を形成してもよい。靴２００は、シャーシ２０２におけるトレッド２０４、及び／又はシェル２０８におけるトレッド２０６を備えていてもよい。トレッド２０４は、靴２００の用途に応じて種々のグリップ面を有することができ、種々の形状と寸法とすることができる。例えば、トレッド２０４、２０６は、デッキシューズのように湿った滑りやすい地面に適応させて、またはウォーキングシューズのように乾いた地面での快適な使用に適応させて、またはハイキングシューズのように一般道路以外の地形での歩行に適応させて、適宜変更されるとよい。シェル２０８及びシャーシ２０２の底面は、靴の本底に用いられるどのような従来の材料、例えば、靴の本底及びトレッドに用いられるのに適した成形ゴム、プラスチック、又は他の材料から形成可能である。シャーシ２０２は、シャーシ２０２とシェル２０８との間の継目を、耐水性を備えるべく密封するガスケット（gasket）と共にシェル２０８内に摩擦嵌合されるか、または前記ガスケットをシェル２０８に固定しまたは着脱可能に取り付けられるとよい。
【００２０】
ここに図示されていないが、ある種の実施形態においては、靴２００の底面の大部分の面がシャーシ２０２から形成されてもよいことが理解されるだろう。また、ある種の実施形態においては、シェル２０８が靴２００の全底面を形成し、シャーシ２０２は、シェル２０８を貫通して突出しないようにすることもできる。しかし、トレッド２０４をシャーシ２０２内の一体化された副部品と組み合わせることによって、トレッド２０４の特性をシャーシ２０２内の内部パッドに適合させ、これらの内部クッションとトレッドの両方が、靴の特定の用途、例えばハイキングに好都合に対応するようにできる。
【００２１】
図３は、フットエンクロージャが部分的に外されたモジュール靴を示している。靴３００は、シェル３０２と、シャーシ３０４と、フットエンクロージャ３０６と、第１取付け装置３０８と、第２取付け装置３１０とを備えている。シェル３０２内の溝３１４と適合する工具３１２が、靴３００の分解を補助するために付属されるとよい。靴３００は、前述した靴のいずれであってもよい。
【００２２】
第１取付け装置３０８と第２取付け装置３１０は、フットエンクロージャ３０６をシェル３０２及び／又はシャーシ３０４内に固定するためのいかなる機構を備えていてもよい。例えば、装置３０８、３１０は、フットエンクロージャ３０６とシェル３０２に取り付けた面ファスナー、または同じように配置されたボタンとボタン穴、又はボタンとスナップ、又はフットエンクロージャ３０６を靴３００内に固定させるための他の装置又は機構を備えていてもよい。一旦装置３０８、３１０が互いに引き離された後、フットエンクロージャ３０６は、図示されるようにシェル３０２から引き出されるとよい。フットエンクロージャ３０６がシェル内に挿入されるとき、装置３０８、３１０は、フットエンクロージャ３０６を適所に固定するように、再び付着される。装置３０８、３１０の正確な配置と特性は重要ではないが、装置３０８、３１０は、同一種類で、異なるシェルとフットエンクロージャに対して同一の位置にあると、靴３００のモジュール性が維持されるので、好ましい。
【００２３】
工具３１２は、フットエンクロージャ３０６をシェル３０２から引出すために上方に引っ張る間、下向きの圧力が都合よく加えられ得る表面を備えている。工具３１２は、略Ｕ字状であるとよく、シェル３０２の踵領域の溝３１４は、工具３１２が溝３１４に対して接離する方向に水平に滑るように、工具３１２と適合されるとよい。フットエンクロージャ３０６の引出しに相反する力を加えるための適切な表面を備えた他の各種工具又は技術が同様に用いられてもよい。
【００２４】
図４は、フットエンクロージャを取り外したモジュール靴を示している。靴４００は、前述した靴のいずれであってもよく、シャーシ４０２と、タブ４０４と、シェル４０６とを備えているとよい。フットエンクロージャ（図示せず）が取り外されているので、シャーシ４０２の上面が露見している。シャーシ４０２の上面は、例えば、歩行中に衝撃を吸収するために踵領域に特別のパッドが設けられるように、適切なパッドが付されるとよい。タブ４０４又は他の突出部が、シャーシ４０２をシェル４０６から引き出すための把持部や引掛部のような態様でシャーシ４０２から延在されるとよい。タブ４０４に代わって、突出部は、適切な工具を用いる把持や引張に適したフック又は他の機構的な手段であってもよい。ただし、このような機構的な突出部は、靴４００の着用者への不快さを避けるように配置され、かつ構成されることが好ましい。
【００２５】
図５は、シャーシが部分的に外されたモジュール靴を示している。靴５００は、前述した靴のいずれであってもよく、踵領域に溝５０４を有するシェル５０２と、トレッド５０８、ガスケット５１０、及びタブ５１２を有するシャーシ５０６とを備えている。図３を参照して前述した工具３１２のような、靴５００の分解を補助するために溝５０４と適合する工具５１４が、設けられるとよい。
【００２６】
トレッド５０８は、前述したように、シェル５０２内の貫通開口（図示せず）を通して突出し、靴５００の使用時にグリップ面をもたらすように構成されるとよい。前述したように、トレッドの種類は、シャーシ５０８の想定される用途、例えば、スポーツ用、屋外用、カジュアル用、又はフォーマル用に適合させて変更可能である。ユーザの足の踵のような領域を緩衝するために、発泡体、空気又はガス袋（又は相互に連結している又は互いに分離された袋群）など、適宜、パッド又はクッションが含まれてもよい。
【００２７】
シャーシ５０６は、所望する剛性をシャーシ５０６の全体及びその個々の領域に与えるために、均一な又は異なる補強材、又は剛性材料の層を備えてもよい。例えば、歩行中に踵が表面に当接する際の衝撃をシャーシ５０６のパッド付き領域の全体にわたって分配するには固い踵領域が望ましく、一方、それより前方は、歩行動作中に足が自然に撓めるように、より柔軟な領域であることが望ましい。
【００２８】
ガスケット５１０は、例えば、シャーシ５０６がシェル５０２と結合したときにシャーシ５０６に付着されるゴムビードであるとよい。シェル５０２へのシャーシ５０６の摩擦係合によって、シャーシ５０６をシェル５０２内に固定させ、靴５００の底面に耐水シールをもたらすとよい。
【００２９】
タブ５１２は、シェル５０２内の対応するスロット（図示せず）と結合することによって、シャーシ５０６を、シェル５０２内に位置合わせし、さらにシェル５０２内に固定するとよい。
【００３０】
図６は、シャーシが部分的に外されたモジュール靴の底面図である。靴６００は、前述した靴のいずれであってもよい。この斜視図では、シャーシ６０８が取り外された後、２つの開口６０２、６０４が、シェル６０６に露見する。開口６０２、６０４は、シャーシ６０８のトレッド部分を受けるように構成され、シャーシ６０８のガスケット（図示せず）と適合する縁を備えている。この構造の他の構成が可能であることが理解されるだろう。例えば、図示されているよりも多いかまたは少ない開口が、シェル６０６に設けられてもよいし、他の固定及びシール機構、例えば、シャーシ６０８の代わりにシェル６０４に設けられるガスケットが用いられてもよい。
【００３１】
図７は、モジュール靴の部品の上面図である。靴７００は、前述した靴のいずれであってもよく、シェル７０２と、シャーシ７０４と、フットエンクロージャ７０６とを備えているとよい。靴７００のいくつかの特徴について、以下、さらに詳細に説明する。
【００３２】
この図では、スロット７０８が、シェル７０２の後面に露見している。対応するタブ７１０が、シャーシ７０４に露見している。手作業により、シャーシ７０４がシェル７０２内に挿入されると、それに連動してタブ７１０は、シャーシ７０４の固い後面７１２によって、スロット７０８と係合するように付勢される。シャーシ７０４をシェル７０２から取り外すには、固い後面７１２が靴７００の前方に向かって押圧可能である。これによって、タブ７１０がシェル７０２のスロット７０８から離脱される。次いで、シャーシ７０４の踵部分が、前述したようにシェル７０２から上方に引き出されるようになる。
【００３３】
強化領域７１４がフットエンクロージャ７０６に設けられることに留意すべきである。これは、フットエンクロージャ７０６のこの領域がシェル７０２の締め紐７１６と重なった場合に擦れを防止可能である。強化領域７１４は、靴７００の使用時にフットエンクロージャ７０６に対して締め紐７１６（又は他の緊締機構）によって加えられる圧力を分配するように剛質であるとよい。
【００３４】
図８は、モジュール靴の副部品の斜視図である。靴８００は、前述した靴のいずれであってもよく、シェル８０２と、シャーシ８０４と、フットエンクロージャ８０６とを備えているとよい。前述した多くの特徴に加えて、この図は、シェル８０２の底面の相手側開口を塞ぐようにシャーシ８０４から突出するトレッド８０８と下面８１０を示している。
【００３５】
ここに述べたモジュール靴に対して、上記の図面に示されていない他の付加的形態及び変形形態がなされてもよい。例えば、随意的又は補足的な層が、種々の気候条件下で着用されるために設けられてもよい。このような耐候層は、例えば、水、雪又は風に対するバリアを構成でき、これによって、耐候層を付加的に用いる靴は、水、雪、又は泥内で、又は氷のような表面で、又は特に荒れ模様の天候条件において、用いられるように特に適合される。また、耐候層は、例えば、暑い天候に用いられるための吸収材料又は毛細管材料の層から作製することによって、他の天候条件用に設計されてもよい。耐候層は、外側のバリアをこのような要素又は条件にもたらすために、シェルの外側の周囲に配置されるとよい。あるいは、耐候層は、靴の層間、例えば、シェルとシャーシとの間、又はシャーシとフットエンクロージャとの間、又はさらに前述した靴のシェルとフットエンクロージャとの間のさらに一般的などのような箇所に、配置されてもよい。耐候層は、靴下、婦人用半長靴、又は前述したフットエンクロージャの代わりに又はそれに加えてフットエンクロージャとして機能する同様の鞘状覆いであってもよい。
【００３６】
いくつかの実施形態において、靴の部品は、例えば、旅行バッグ又は空間が制限される他の箇所などへの収納の便を考慮して、折畳み可能であるとよい。剛性のない部品は、任意の都合のよい態様で折畳み可能であるとよい。比較的剛性のある部品は、いくつかの線に沿って詰め込み又は他の積み込みに適したより小さい形状に折り曲げるのを可能にするために、溝、襞、又はヒンジを備えているとよい。いずれの１つ以上の部品も、この態様によって折畳み可能である。
【００３７】
種々の実施形態において、ここに記載されたモジュール靴は、既存の靴を上回る多くの利点を提供し得る。モジュール靴は、多数の異なる靴の種類と色彩に機能及び様式の多様さをもたらしつつも、小形かつ軽量とすることができる。モジュール靴は、それがない場合に必要とされるか又は望まれる多数の靴と比較して低重量かつコンパクトなので、履物用の荷物空間が制限される旅行者にとって特に有利である。さらに、この靴は、より容易に洗浄かつ乾燥可能な部品に分離可能であり、フットエンクロージャ又はシャーシのような部品は、同じ履物を何日も履くのを避けるために新しい物と交換可能であるので、好都合である。
【００３８】
ある種の実施形態において、靴の部品のいくつか又は全てが、流し台で靴を洗えるように、またもし機械洗濯が可能である場合に他の洗濯物と一緒に洗濯できるように、水洗可能であるとよい。この目的のために、部品のいくつか又は全てが、水と石鹸又は他の合成洗剤や洗浄剤で洗浄可能な材料によって作製されることが好適である。このような材料としては、ウォッシャブルレザーまたは多数の合成材料のいずれかが含まれる。この材料は、乾燥が容易で比較的短時間で再使用可能であるように、疎水性であるとよい。
【００３９】
本発明は、図示されかつ詳細に記載された好ましい実施形態と関連して開示されたが、本発明は、ここに開示された実施形態に限定されるものではなく、法の下で容認される限りにおいて広く解釈されるべきである各請求項から判断されるべきであることが理解されるだろう。
【図面の簡単な説明】
【００４０】
【図１】モジュール靴の斜視図である。
【図２】モジュール靴の底面図である。
【図３】ユーザによる靴の取り外しを示す、フットエンクロージャが部分的に外されたモジュール靴の斜視図である。
【図４】フットエンクロージャのないモジュール靴の斜視図である。
【図５】シャーシの取外しを示す、シャーシが部分的に外されたモジュール靴の斜視図である。
【図６】シャーシが部分的に外されたモジュール靴の底面図である。
【図７】モジュール靴の部品の上面図である。
【図８】モジュール靴の部品の斜視図である。
【図１】
2007500574.tif 000003
【図２】
2007500574.tif 000004
【図３】
2007500574.tif 000005
【図４】
2007500574.tif 000006
【図５】
2007500574.tif 000007
【図６】
2007500574.tif 000008
【図７】
2007500574.tif 000009
【図８】
2007500574.tif 000010
【国際調査報告】
2007500574.tif 000011
2007500574.tif 000012
2007500574.tif 000013